(57)【要約】【課題】  落下衝撃等に対する耐久性を高めることができるとともに、テープローディング用の空間部の開閉機構をより簡素化できるテープカセットを提供する。【解決手段】  本発明は、従来の回動式のリッド構体に代えて、テープローディング用の空間部１１を遮蔽する一対のシャッタ部材１４Ａ，１４Ｂを、カセットシェル２の前部に沿って移動自在に取り付ける。この構成により、落下衝撃等を最も受けやすいカセット前面隅部に対して空間部１１の開閉用の機構部品を配置せずとも空間部１１の開閉機構を構成することが可能となるので、落下衝撃等に対する耐久性が高められ、また、空間部１１の開閉機構の構成および組付性を簡素化することができる。【選択図】        図１
2005317055.tif 000002
【特許請求の範囲】
【請求項１】
カセットシェルと、このカセットシェルの内部に回転可能に収納された一対のテープリールと、これらテープリールに巻装されたテープ状記録媒体と、前記カセットシェルの前部に形成されたテープローディング用の空間部とを備えたテープカセットにおいて、
前記空間部を遮蔽する一対のシャッタ部材が、前記カセットシェルの前部に沿って移動自在に取り付けられている
ことを特徴とするテープカセット。
【請求項２】
前記一対のシャッタ部材は、互いに対向する端部を接触させて前記空間部を遮蔽する第１の位置と、互いに対向する端部を離間させて前記空間部を開放する第２の位置との間を移動する
ことを特徴とする請求項１に記載のテープカセット。
【請求項３】
前記一対のシャッタ部材の各々対向する端部には、前記第１の位置において前後方向に互いにオーバーラップする突出片がそれぞれ設けられている
ことを特徴とする請求項２に記載のテープカセット。
【請求項４】
前記一対の突出片の各々のオーバーラップ面には、テーパーが施されている
ことを特徴とする請求項３に記載のテープカセット。
【請求項５】
前記一対のシャッタ部材には、これら一対のシャッタ部材を前記第１の位置に向けて付勢する付勢部材がそれぞれ設けられている
ことを特徴とする請求項２に記載のテープカセット。
【請求項６】
前記付勢部材は、前記シャッタ部材の内面と、このシャッタ部材によりその移動範囲にわたって被覆されるカセットシェル外面部位との間に配置されている
ことを特徴とする請求項５に記載のテープカセット。
【請求項７】
前記一対のシャッタ部材は略コの字形状を有しており、前記カセットシェルの前部外面に対して摺動自在に、前記カセットシェルの前部を跨ぐようにして係合されている
ことを特徴とする請求項１に記載のテープカセット。
【請求項８】
前記一対のシャッタ部材の前面部は、前記カセットシェルの前部の形状に対応した形状に形成されている
ことを特徴とする請求項１に記載のテープカセット。
【請求項９】
前記カセットシェルの前部は、前方へ凸なる湾曲形状を有している
ことを特徴とする請求項８に記載のテープカセット。
【請求項１０】
前記空間部の上方部は前記カセットシェルの天板部により覆われており、この天板部の内面側には、前記カセットシェルの前後方向に沿って延在するリブが設けられている
ことを特徴とする請求項１に記載のテープカセット。
【発明の詳細な説明】
【技術分野】
【０００１】
本発明は、テープ状記録媒体を巻装した一対のテープリールを回転可能に収納したカセットシェルの前部にテープローディング用の空間部が形成されたテープカセットに関し、更に詳しくは、上記空間部に架け渡されているテープ状記録媒体を落下衝撃等から保護することができるテープカセットに関する。
【背景技術】
【０００２】
テープカセットは、通常、上シェルと下シェルとを互いに結合してなるカセットシェルの内部に、テープ状記録媒体としての磁気テープを巻装した一対のテープリールを回転可能に収納して構成されている。そして、この種のテープカセットにおいては、非使用時、カセットシェルの前部に形成された空間部に位置する磁気テープをリッドと称される部材によって覆い、当該磁気テープに塵埃が付着したり、人の手指が触れて油脂等が付着するのを防止するものがある。
【０００３】
図１０〜図１８は、従来のリッド付きのテープカセット１０１の構成の一例を示している。ここで、図１０は従来のテープカセット１０１の分解斜視図、図１１はテープカセット１０１のリッド開放状態を示す斜視図、図１２はテープカセット１０１の下面側から見たときの斜視図、図１３は上シェル１０２の斜視図、図１４は下シェル１０３の斜視図、図１５はトップリッド１０９の上面側斜視図、図１６はトップリッド１０９の裏面側斜視図、図１７はフロントリッド１０８の斜視図、図１８はバックリッド１１０の斜視図である。
【０００４】
この従来のテープカセット１０１は、上シェル１０２と下シェル１０３とを互いに結合して形成されるカセットシェル１０４の内部に、磁気テープ１０５を巻装した一対のテープリール１０６を左右に離間して各々回転可能に収納した構成とされている。カセットシェル１０４の前部には、前方および上下に開放された空間部１０７が設けられ、テープカセットの非使用時には、空間部１０７の前部を横切るように架け渡された磁気テープ１０５をリッド構体１１１で覆い、磁気テープに塵埃が付着したり、人の手指が触れて油脂等が付着するのを防止する。
【０００５】
以下、リッド構体１１１の構成および組付方法について説明する。
【０００６】
リッド構体１１１は、磁気テープ１０５の前面側を覆うフロントリッド１０８と、空間部１０７の上方部を覆うトップリッド１０９と、磁気テープ１０５の背面側を覆うバックリッド１１０との結合体で構成されている。フロントリッド１０８およびバックリッド１１０は、後述するように、それぞれトップリッド１０９に対して回動自在に軸支されている。
【０００７】
フロントリッド１０８は、図１７に示すように、カセットシェル１０４の前側開口部を全体的に閉塞するように形成された細長い板状体であって、その本体部１０８ａの両側下端縁には、当該フロントリッド１０８の回転位置決め用の当接面１０８ｂが設けられており、下シェル１０３の前端両側から張出し形成された突部１０３ａ（図１１）にこの当接面１０８ｂが当接することにより、図１２に示すフロントリッド１０８の閉止位置を規制する。
【０００８】
本体部１０８ａの長手方向の両端部には、側壁１０８ｃがそれぞれ延設されており、その内面側には回動軸１０８ｄがそれぞれ対向するように突設されている。回動軸１０８ｄはカートリッジケース１０４への組付け時、上シェル１０２の軸支持部１０２ａ（図１３）に係合される。また、回動軸１０８ｄの一方側には更に、バネ装着用の突部１０８ｅが設けられており、この突部１０８ｅの周面からバネ係止用の突起１０８ｆが突出されている。そして、トーションバネでなるリッドバネ１１２（図１０）のコイル部を突部１０８ｅに装着し、一方のアームを突起１０８ｆに係止するとともに、他方のアームを上シェル１０２の内面に係止することによって、フロントリッド１０８を常に閉止位置へ付勢している。
【０００９】
トップリッド１０９は、図１５および図１６に示すように細長い板状体であって、その長手方向の両端部には側壁１０９ａがそれぞれ延設されており側壁１０９ａの内面前方側には、フロントリッド１０８の本体部１０８ａの長手方向両端に設けられたガイド軸１０８ｇがそれぞれ回動自在に嵌合するガイド孔１０９ｂがそれぞれ形成されている。また、トップリッド１０９の側壁１０９ａの内面後方側には、互いに対向するようにガイド軸１０９ｃがそれぞれ突設されている。これらのガイド軸１０９ｃは、上シェル１０２の両側壁面前方部に形成されたガイド溝１０２ｂ（図１３）に各々摺動自在に係合されている（図１１）。
【００１０】
また、バックリッド１１０は、空間部１０７に位置する磁気テープ１０５の背面側をカバーできるように形成された板状を有している。図１８に示すように、バックリッド１１０の両側面上端にはガイド軸１１０ａがそれぞれ突設され、トップリッド１０９の裏面側に形成されたガイド孔１０９ｄ（図１６）に対してそれぞれ回動自在に嵌合している。また、バックリッド１１０の両側面下端には、空間部１０７を区画する下シェル１０３中央部の両側壁に設けられたガイド溝１０３ｂ（図１４）に摺動自在に係合するガイド軸１１０ｂがそれぞれ突設されている。
【００１１】
以上のように構成される各種リッド部材１０８〜１１０でなるリッド構体１１１は、先ず、トップリッド１０９のガイド孔１０９ｄにバックリッド１１０のガイド軸１１０ａを係合させた後、トップリッド１０９のガイド軸１０９ｃを上シェル１０２のガイド溝１０２ｂへ係合させる。そして、トップリッド１０９を上シェル１０２の後方側へ寄せた後、バックリッド１１０のガイド溝１１０ｂを下シェル１０３のガイド溝１０３ｂへ係合させる。そして、フロントリッド１０８の突部１０８ｅにリッドバネ１１２を装着した状態で各々の回動軸１０８ｄを上シェル１０２の軸支持部１０２ａに係合させた後、ガイド軸１０８ｇをトップリッド１０９のガイド孔１０９ｂへ係合させる。
【００１２】
以上のようにして、上シェル１０２に対してリッド構体１１１が組み上げられ、テープリール１０６等の所定部品がそれぞれ所定位置に配置された下シェル１０３に対して、複数本のネジ部材１１３を介して一体化されることにより、テープカセット１０１が完成する。このようにして構成されるテープカセット１０１は、使用時、記録再生装置内において図１１に示すようにフロントリッド１０８を上方へ略９０度回動させて空間部１０７を開放し、磁気テープ１０５を外部へ露出させる。そして、開放された空間部１０７にテープローディング機構が進入して磁気テープ１０５がローディングされ、所定の記録／再生動作が行われる。
【００１３】
なお、この出願の発明に関連する先行技術文献を以下に示す。
【００１４】
【特許文献１】特開昭６０−６８１号公報
【発明の開示】
【発明が解決しようとする課題】
【００１５】
ところで、以上のように構成される従来のテープカセット１０１においては、テープローディング用の空間部１０７を閉止するリッド構体１１１が、その回動軸をカセットシェル１０４の側面部に配置する必要がある関係上、カセットシェル１０４の前面部からその両隅部にわたって取り付けられる構成が必須となっている。
【００１６】
このため、従来のテープカセット１０１は、例えば取り扱い時に誤って落下させた場合に、特にカセットシェル前面隅部に取り付けられているリッド構体１１１がその落下衝撃を受けやすく、衝撃の大きさによっては、リッド構体１１１の変形、破損等を招いて、防塵性が低下したり、リッド開閉動作不良をもたらす等して、テープカセット１０１の信頼性を損ねるおそれがある。また、リッド構体１１１の変形、破損等により、これに被覆される磁気テープ１０５の損傷等のおそれもある。
【００１７】
更に、従来のテープカセット１０１においては、その空間部１０７を閉止するリッド構体１１１の構成が複雑で、部品点数も多く、組付け作業が煩雑、面倒であるという問題もある。
【００１８】
本発明は上述の問題に鑑みてなされ、落下衝撃等に対する耐久性を高めることができるとともに、テープローディング用の空間部の開閉機構をより簡素化できるテープカセットを提供することを課題とする。
【課題を解決するための手段】
【００１９】
以上の課題を解決するに当たり、本発明のテープカセットにおいては、テープローディング用の空間部を遮蔽する一対のシャッタ部材を、カセットシェルの前部に沿って移動自在に取り付けている。
【００２０】
この構成により、落下衝撃等を最も受け易いカセット前面隅部に対して空間部の開閉機構を備え付ける構成を排除できるので、落下衝撃等に強く、空間部に位置する磁気テープの損傷を効果的に防止することができる。また、複数の部品からなるリッド構体のように構成が複雑化することはないので、簡素かつ組立性に優れた空間部開閉構造を提供することができる。
【００２１】
本発明において、一対のシャッタ部材は、互いに対向する端部を接触させて空間部を遮蔽する第１の位置と、互いに対向する端部を離間させて空間部を開放する第２の位置との間を移動する。第１の位置において、シャッタ部材間の隙間を介しての異物の進入を防止するために、各シャッタ部材の各々対向する側の端部に、前後方向においてオーバーラップする突出片をそれぞれ設けるのが好ましい。
【発明の効果】
【００２２】
以上のように、本発明によれば、テープローディング用の空間部の開閉を、カセットシェルの前部に沿って移動自在に取り付けられた一対のシャッタ部材で行うようにしているので、カセットシェル前面部隅部に空間部開閉用の機構部品を配置せずとも空間部の開閉機構を構成することが可能となり、これにより、落下衝撃等に対する耐久性を高めて、磁気テープの保護を図ることができる。また、空間部開閉機構の構成および組付性を簡素化することができる。
【発明を実施するための最良の形態】
【００２３】
以下、本発明の実施の形態について図面を参照して説明する。
【００２４】
図１〜図５は、本発明の実施の形態によるテープカセット１の構成を示している。ここで、図１はテープカセット１の分解斜視図、図２は空間部閉塞時のテープカセット１を上シェル側から見たときの全体斜視図、図３は同下シェル側から見たときの全体斜視図、図４は空間部開放時のテープカセット１を上シェル側から見たときの全体斜視図、図５は同下シェル側から見たときの全体斜視図である。
【００２５】
テープカセット１は、全体的に薄い箱状を呈したカセットシェル２に、テープ状記録媒体としての磁気テープ３を巻装した一対のテープリール４を左右に離間して回転可能に収納して構成されている。
【００２６】
カセットシェル２は、合成樹脂材料からなる上シェル５と下シェル６とを結合して形成されている。一方の上シェル５は、主面となる天板部７と、この天板部７の外周縁から垂設された外壁部８とを有している。他方の下シェル６は、主面となる底板部９と、この底板部９の外周縁から立設された外壁部１０とを有している。そして、これらの外壁部８，１０とが突き合わされた上、６本のネジ部材２８を介して上シェル５と下シェル６とが結合されている。
【００２７】
カセットシェル２の前部には、前方および下方に開放された空間部１１が形成され、磁気テープ３は、この空間部１１を横切るように、下シェル６のテープ走行領域を構成する一対のテープ引出部２ａに設けられた一対のテープガイド１２間に架け渡されている。一対のテープ引出部２ａは、カセットシェル２の前部を閉塞する前壁２ｂの空間部１１寄りの一部領域を開口させて形成されている。
【００２８】
空間部１１を横切る磁気テープ３は、非使用時、空間部１１を閉塞する一対のシャッタ部材１４Ａ，１４Ｂで覆われることにより、外部から遮蔽されている。なお、これら一対のシャッタ部材１４Ａ，１４Ｂの詳細については後述する。
【００２９】
テープリール４は、磁気テープ３の巻芯となるリールハブ１７と、このリールハブ１７の上端に接合された上フランジ１６と、リールハブ１７と一体形成された下フランジ１８とを備えている。リールハブ１７には、透明なリーダーテープ１９の一端がクランパ２０を介して固定されている。リーダーテープ１９の他端は、スプライステープ２１を介して磁気テープ３の端部に接合されており、連続したテープ体としてリールハブ１７に巻装されている。
【００３０】
下フランジ１８の外周縁には、リールロックギヤ１８ａが形成されており、テープカセットの非使用時は、下シェル６の底板部９の後方略中央に配置されるリールロック構成体２２によって回転規制されている。
【００３１】
リールロック構成体２２は、カセットシェル２に対して前後方向に移動可能なリールロックスライダー２３と、リールロックスライダー２３に対して回転可能に支持されている一対のリールロック片２４と、リールロックスライダー２３を前方へ付勢するリールロックスプリング２５と、一対のリールロック片２４の先端部を外方へ付勢してリールロックギヤ１８ａへ係合させる二重トーションバネ２６とを備えている。
【００３２】
リールロックスライダー２３は、下シェル６の底板部９の後方略中央部に形成された一対のガイドリブ３８間に配置され、テープカセットの使用時、記録再生装置側のリールロック解除ピンが挿通孔３７から内部へ挿入されることによって、リールロックスプリング２５の付勢力に抗して後方へ移動されるようになっている。これにより、一対のリールロック片２４とリールロックギヤ１８ａとの係合が解除され、テープリール４が回転可能とされる。
【００３３】
テープリール４は、上シェル５の天板部７の内面に固定されたリール押えバネ２７によって下シェル６側へ付勢され、テープカセット１の運搬時等におけるカセットシェル２内部でのガタツキが抑制される。なお、天板部７には、透明な窓部材１３が取り付けられており、カセットシェル２の内部にある磁気テープ３の巻き姿が視認できるようになっている。
【００３４】
一方、下シェル６の前方略中央部には、テープ終端検出部２９が設けられている。テープ終端検出部２９は、磁気テープ３の終端を検出するためのもので、記録再生装置側の検出用光源が挿通される開口部３０（図５）と、当該光源を収容する空間を画成する筒部３１と、開口部３０からカセットシェル２の内部への異物の侵入を防止する防塵キャップ３９とを備えている。磁気テープ３の終端には透明なリーダーテープ１９が接続されているので、検出用光源から出射された光は、テープ走行領域に繰り出されたリーダーテープ１９を通過して下シェル６の両側方に開口された一対の検出窓３２のうち一方に到達する。そこで、検出窓３２に受光センサを配置することによって磁気テープ３の終端を検出し、これによりテープリール４の回転駆動制御を行うようにしている。
【００３５】
また、下シェル６の左手後方の外壁部１０内方には、磁気テープ３に記録された情報信号の誤記録、誤消去を防止するためのセイフティタブ３３が取り付けられている。セイフティタブ３３は、記録可能位置と記録不可能位置とを選択的にとり得るように構成されている。セイフティタブ３３に一体的に取り付けられたカラータブ３４は、セイフティタブ３３が記録不可能位置にあるときに外部に露出されて、その形成色（例えば赤色）が外部から認識されるようになっている。
【００３６】
更に、下シェル６の左手後方の外壁部１０内方には、非接触型のＩＣメモリーを搭載したメモリー基板３５が収納され、記録再生装置との交信によって、例えば磁気テープ３に記録された内容に関する情報の読み書きが行われるようになっている。
【００３７】
次に、本発明に係る一対のシャッタ部材１４Ａ，１４Ｂの詳細について図６〜図８をも参照して説明する。ここで、図６は一方のシャッタ部材１４Ａの斜視図、図７は他方のシャッタ部材１４Ｂの斜視図、図８は閉止位置におけるシャッタ部材１４Ａ，１４Ｂ間の関係を示す要部断面図である。
【００３８】
一対のシャッタ部材１４Ａ，１４Ｂはそれぞれ、上面部１４ａ、前面部１４ｂおよび下面部１４ｃでなる略コの字形状を有し、例えば、合成樹脂材料の射出成形体構成される。これらのシャッタ部材１４Ａ，１４Ｂは、カセットシェル２の前部外面に対して摺動自在に、カセットシェル２の前部を跨ぐようにして係合されている（図２〜図５）。
【００３９】
各シャッタ部材１４Ａ，１４Ｂの上面部１４ａおよび下面部１４ｃの後端には、互いに対向する方向へ突出するガイドリブ１４ｄおよび１４ｅがそれぞれ形成されている。これらのガイドリブ１４ｄ，１４ｅは、カセットシェル２の天板部７および底板部９に各々形成されたガイド溝７ａおよび９ａに対してそれぞれ係合しており、これらのガイド溝７ａ，９ａに沿って、各シャッタ部材１４Ａ，１４Ｂがカセットシェル２の前面に沿って移動可能とされている（図２〜図５）。
【００４０】
各シャッタ部材１４Ａ，１４Ｂは、互いに対向する端部１４ｆを各々接触させて空間部１１を遮蔽する閉止位置（第１の位置）と、互いに対向する端部１４ｆを各々離間させて空間部１１を開放する開放位置（第２の位置）との間を移動する。ガイド溝７ａ，９ａには、シャッタ部材１４Ａ，１４Ｂの移動範囲を規定するストッパ７ｂ，７ｃ及び９ｂ，９ｃがそれぞれ設けられている。
【００４１】
ストッパ７ｂ，９ｂは、ガイド溝７ａ，９ａの略中央部に形成された段部でなり、シャッタ部材１４Ａ，１４Ｂの閉止位置を規定する。また、ストッパ７ｃ，９ｃは、ガイド溝７ａ，９ａの終端からカセットシェル２の前面部にわたって形成された段部でなり、シャッタ部材１４Ａ，１４Ｂの外方側の端部１４ｇ，１４ｇと当接してそれらの開放位置を規定する。
【００４２】
なお、ストッパ７ｃ，９ｃはそれぞれ、シャッタ部材１４Ａ，１４Ｂの端部１４ｇの形状に対応して形成されている。また、ストッパ７ｃ，９ｃ（７ｂ、９ｂ）の高さは、シャッタ部材１４Ａ，１４Ｂの各面部１４ａ〜１４ｃの厚さと略同一とされることにより、シャッタ部材１４Ａ，１４Ｂの外面が、カセットシェル２の前部外面とほぼ面一とされている。
【００４３】
ここで、各シャッタ部材１４Ａ，１４Ｂの前面部１４ｂは、カセットシェル２の前部の形状に対応した形状に形成されており、カセットシェル２の外形状からシャッタ部材１４Ａ，１４Ｂが突出しないようにして、テープカセット１の全体形状の大型化を回避している。本実施の形態では、カセットシェル２の前部が前方へ凸なる湾曲形状を有しており、これに応じてシャッタ部材１４Ａ，１４Ｂの前面部１４ｂも湾曲形状をなしている。これらシャッタ部材１４Ａ，１４Ｂをカセットシェル２の湾曲した前面部に沿って移動させるために、ガイドリブ１４ｄ，１４ｅおよびガイド溝７ａ，９ａもまた、カセットシェル２前面の湾曲率に対応した湾曲形状を有している。
【００４４】
一方、各シャッタ部材１４Ａ，１４Ｂの各々対向する端部１４ｆには、図８に示すように、閉止位置において前後方向に互いにオーバーラップする突出片１４ｈがそれぞれ設けられている。これら突出片１４ｈのオーバーラップ作用により、閉止位置にあるシャッタ部材１４Ａ，１４Ｂ間の隙間をなくして、防塵性を高めるようにしている。
【００４５】
この閉止位置において、各突出片１４ｈの端部は、対向するシャッタ部材１４Ａ，１４Ｂの各々の端部１４ｆに当接している。また、各突出片１４ｈの各々のオーバーラップ面１４ｉには、所定角度のテーパーが施されることによって、各突出片１４ｈの干渉を抑止し、各シャッタ部材１４Ａ，１４Ｂの閉止位置への円滑な移動を確保している。
【００４６】
なお、ガイドリブ１４ｄ，１４ｅの各々の一端は、閉止位置において、ストッパ７ｂ，９ｂと当接する当接面１４ｊとされている。そこで、当接面１４ｊがストッパ７ｂ，９ｂに当接し、シャッタ部材１４Ａ，１４Ｂが閉止位置へ位置しているとき、上記端部１４ｆは、当接面１４ｊよりも、対向するシャッタ部材側へ突出させるようにしている（図８）。これにより、突出片１４ｈの突出量を大きく延出させることなく、上述したオーバーラップ作用を得ることができる。
【００４７】
ところで、図１に示すように、一対のシャッタ部材１４Ａ，１４Ｂには、これら一対のシャッタ部材１４Ａ，１４Ｂを閉止位置に向けて付勢する付勢部材１５がそれぞれ設けられている。これら付勢部材１５の付勢力を受けて、各シャッタ部材１４は常時閉止位置へ付勢されることになるので、テープカセット非使用時において空間部１１の閉塞状態を維持し、カセット内部への塵埃等の異物の進入を阻止することができる。
【００４８】
これら付勢部材１５は、上シェル５の天板部７の前方部分に形成された一対の収容部７ｄに組み込まれている。本実施の形態では、付勢部材１５を板バネで形成し、その一端をシャッタ部材１４Ａ，１４Ｂの各々の上面部１４ａ内面に形成した係止部（図示略）に係止させ、他端を収容部７ｄの外方側縁部に形成した係止部７ｅ（図１）に形成させている。そして、この板バネの曲げ変形によって所定のバネ張力を発揮させるようにしている。
【００４９】
なお、付勢部材１５は板バネで形成する例に限らず、例えば図９に示すようなトーションバネ３６で形成することも可能である。このトーションバネ３６は、中央部に位置する第１コイル部３６ａと、両側方に位置する一対の第２コイル部３６ｂと、第１コイル部３６ａと第２コイル部３６ｂとを橋絡する一対の橋絡部３６ｃと、第２コイル部３６ｂに対して接線方向へ突出する一対のアーム部３６ｄとを一体に備えてなる。各アーム部３６ｄは、その始端から突出端にかけてコイル部３６ａ，３６ｂの高さ方向（収容部７ｄの深さ方向）へ傾斜角θ１で傾斜している。また、各アーム部３６ｄの突出端は、コイル部３６ａ，３６ｂの高さ方向へ、アーム部３６ｄの傾斜方向に対して鋭角θ２（＜９０°）をなす向きに屈曲形成された屈曲部３６ｅを有する。
この構成により、トーションバネ３６の高さを小さくしながら、一対のアーム部３６ｄ及び一対の橋絡部３６ｃのねじり変形によって所望のバネ張力を得ることができ、シャッタ部材１４Ａ，１４Ｂの移動長の長ストローク化にも対応できる。
【００５０】
収容部７ｄは、空間部１１の直上位置に形成されている。即ち、収容部７ｄは、空間部１１の上方部を閉塞する上シェル５の天板部７上に形成されている。各収容部７ｄの形成幅としては、図２に示すように閉止位置にある各シャッタ部材１４Ａ，１４Ｂにより全体が外部から遮蔽されるとともに、各シャッタ部材１４Ａ，１４Ｂが開放位置にあるときは、図４に示すように、収容部７ｄの係止部１４ｅがシャッタ部材１４Ａ，１４Ｂにより外部から遮蔽される程度の大きさに形成するのが好ましい。
【００５１】
これにより、各付勢部材１５は、シャッタ部材１４Ａ，１４Ｂの各々の上面部１４ａ内面と、このシャッタ部材１４Ａ，１４Ｂによりその移動範囲にわたって被覆されるカセットシェル２の外面部位との間に配置されることになるので、付勢部材１５を常に外部から遮蔽させておくことができ、付勢部材１５の脱落防止およびカセット外観上の美観向上を図ることができる。
【００５２】
更に、空間部１１の上方部を覆う天板部７の内面側には、カセットシェル２の前後方向に沿って延在するリブ７ｆが設けられている（図５）。このリブ７ｆは、当該天板部７の補強リブとして機能し、閉止位置におけるシャッタ部材１４Ａ，１４Ｂの倒れを防止して両者間の合わせズレを無くし、長期にわたって安定した空間部１１の遮蔽作用を確保する。なお、このリブ７ｆは空間部１１の略中央部に形成されているが、リブ７ｆの形成位置はこれに限られない。
【００５３】
以上のように構成される本実施の形態のテープカセット１においては、テープローディング用の空間部１１の開閉を、カセットシェル２の前部に沿って移動自在に取り付けられた一対のシャッタ部材１４Ａ，１４Ｂで行うようにしているので、カセットシェル２の前面部隅部に空間部１１開閉用の機構部品を配置せずとも空間部１１の開閉機構を構成することが可能となり、これにより、落下衝撃等に対する耐久性を高めて、空間部１１に位置する磁気テープ３の保護を図ることができる。
【００５４】
また、空間部１１を開閉する一対のシャッタ部材１４Ａ，１４Ｂはそれぞれ、略コの字形状の単一の部品で構成されているので、空間部１１の開閉機構を従来のリッド構体に比べてはるかに簡素化できるとともに、その取付けもガイドリブ１４ｄ，１４ｅとガイド溝７ａ，９ａとの間の係合作用のみであるので、組付作業性の格段の向上を図ることができる。
【００５５】
一方、このテープカセット１の使用時、図示しない記録再生装置へ装填されることにより、一対のシャッタ部材１４Ａ，１４Ｂがそれぞれ付勢部材１５のバネ力に抗して閉止位置（図２，図３）から開放位置（図４，図５）へ移動される。これにより、空間部１１が開放され、この空間部１１を横切るように架け渡されている磁気テープ５が、記録再生装置側のテープローディング機構を介してローディングされる。
【００５６】
本実施の形態では、カセットシェル２の前面部を前方へ凸なる湾曲形状に形成しているので、空間部１１の容積を大きくとることができ、これによりテープローディング機構のシステムの自由度が高められる。また、空間部１１の開閉前後でカセット全体の外形状がほとんど変化しないので、記録再生装置の小型化をも図ることができる。
【００５７】
以上、本発明の実施の形態について説明したが、勿論、本発明はこれに限定されることなく、本発明の技術的思想に基づいて種々の変形が可能である。
【００５８】
例えば以上の実施の形態では、テープローディング用の空間部１１を開放する一対のシャッタ部材１４Ａ，１４Ｂをそれぞれ合成樹脂材料の射出成形体で構成したが、これに限らず、例えば金属板のプレス加工体で上記シャッタ部材を構成することも可能である。この場合、シャッタ部材の強度向上と薄厚化を図ることができる。
【００５９】
また、以上の実施の形態では、テープローディング用の空間部１１を開放する一対のシャッタ部材１４Ａ，１４Ｂの移動範囲をカセットシェル２の前部形成領域内としたが、これに限らず、例えば開放位置において、各シャッタ部材１４Ａ，１４Ｂの端部がカセットシェル２の外方へ突出するようにしてもよい。
【００６０】
また、以上の実施の形態では、一対のシャッタ部材１４Ａ，１４Ｂを閉止位置へ付勢する付勢部材を、シャッタ部材１４Ａ，１４Ｂの上面部１４ａとカセットシェル２の天板部７との間に配置するようにしたが、これに代えて、例えば、シャッタ部材１４Ａ，１４Ｂの前面部１４ｂとカセットシェル２の前壁２ｂとの間に上記付勢部材を配置するようにしてもよい。
【００６１】
更に、以上の実施の形態では、テープローディング用の空間部１１を開閉する一対のシャッタ部材１４Ａ，１４Ｂをそれぞれ略コの字形状に形成したが、これに限らず、例えば空間部の前面部と下面部を遮蔽する略Ｌ字形状に上記各シャッタ部材を構成するようにしてもよい。この場合、各シャッタ部材を付勢する付勢部材は、上述のように、シャッタ部材の前面部とカセットシェルの前壁との間に配置することができる。
【図面の簡単な説明】
【００６２】
【図１】本発明の実施の形態によるテープカセット１の分解斜視図である。
【図２】テープカセット１の非使用状態を上シェル５側から見たときの全体斜視図である。
【図３】テープカセット１の非使用状態を下シェル６側から見たときの全体斜視図である。
【図４】テープカセット１の使用状態を上シェル５側から見たときの全体斜視図である。
【図５】テープカセット１の使用状態を下シェル６側から見たときの全体斜視図である。
【図６】一対のシャッタ部材のうち一方側１４Ａの構成を示す斜視図である。
【図７】一対のシャッタ部材のうち他方側１４Ｂの構成を示す斜視図である。
【図８】一対のシャッタ部材１４Ａ，１４Ｂが閉止位置にあるときの両者の関係を示す要部断面図である。
【図９】一対のシャッタ部材を閉止位置へ付勢する付勢部材の他の構成例を示す図であり、Ａは平面図、Ｂは正面図である。
【図１０】従来のリッド構体を備えたテープカセット１０１の構成の一例を示す分解斜視図である。
【図１１】テープカセット１０１の使用状態を上シェル側から見たときの全体斜視図である。
【図１２】テープカセット１０１の非使用状態を下シェル側から見たときの全体斜視図である。
【図１３】従来のテープカセットにおける上シェルの斜視図である。
【図１４】従来のテープカセットにおける下シェルの斜視図である。
【図１５】リッド構体を構成するトップリッドの上面側斜視図である。
【図１６】同トップリッドの下面側斜視図である。
【図１７】同フロントリッドの斜視図である。
【図１８】同バックリッドの斜視図である。
【符号の説明】
【００６３】
１…テープカセット、２…カセットシェル、３…磁気テープ、４…テープリール、５…上シェル、６…下シェル、７…天板部、７ａ…ガイド溝、７ｂ，７ｃ…ストッパ、７ｄ…収容部、７ｆ…リブ、９…底板部、９ａ…ガイド溝、９ｂ、９ｃ…ストッパ、１１…空間部、１４Ａ，１４Ｂ…シャッタ部材、１４ａ…上面部、１４ｂ…前面部、１４ｃ…下面部、１４ｄ，１４ｅ…ガイドリブ、１４ｈ…突出片、１５，３６…付勢部材、２２…リールロック構成体、２９…テープ終端検出部。
【図１】
2005317055.tif 000003
【図２】
2005317055.tif 000004
【図３】
2005317055.tif 000005
【図４】
2005317055.tif 000006
【図５】
2005317055.tif 000007
【図６】
2005317055.tif 000008
【図７】
2005317055.tif 000009
【図８】
2005317055.tif 000010
【図９】
2005317055.tif 000011
【図１０】
2005317055.tif 000012
【図１１】
2005317055.tif 000013
【図１２】
2005317055.tif 000014
【図１３】
2005317055.tif 000015
【図１４】
2005317055.tif 000016
【図１５】
2005317055.tif 000017
【図１６】
2005317055.tif 000018
【図１７】
2005317055.tif 000019
【図１８】
2005317055.tif 000020